(57)【要約】【課題】  温度変化や経時変化の影響により液晶パネル内部回路の特性変化があっても、簡便な構成によりゴーストのない鮮明な画像を得ることができる液晶パネルの駆動装置および画像表示装置を提供すること。【解決手段】  基準信号生成回路１３は、液晶パネル１に入力したスタート信号ＤＸがダミー素子５０を経由して出力されるモニタ信号ＭＯＮＩの位相が適正であるときに、モニタ信号ＭＯＮＩと一致するような位相を持つ基準信号ＲＥＦＥを生成する。位相比較回路１４は、入力されるモニタ信号ＭＯＮＩと、基準信号ＲＥＦＥとの位相を比較し、位相比較情報を出力する。加算回路１５は、あらかじめ設定された初期カウント値に、位相比較回路からの位相比較情報を加え、積算カウント値を出力する。信号生成回路１３は、内蔵するカウンタ１９が積算カウント値に応じたカウントを終了したタイミングを起点として、スタート信号ＤＸを生成する。【選択図】      図２
2006251122.tif 000002
【特許請求の範囲】
【請求項１】
マトリクス状に配列された複数の液晶セルと、前記液晶セルごとに設けられた画素電極と、前記各画素電極に画像信号を入力するための複数のデータ線と、前記画像信号をサンプリングするためのサンプリング信号を入力される複数のタイミング信号から生成するデータ線駆動回路と、前記サンプリング信号に応じて前記画像信号をサンプリングし前記データ線に出力する前記データ線ごとに設けられた複数のサンプリング回路と、少なくとも前記サンプリング回路と同一基板上に形成されたダミー素子とを有する液晶パネルの駆動装置であって、
複数の前記タイミング信号として、スタート信号と前記スタート信号を位相の基準として生成された他の信号とを生成する信号生成回路と、
前記画像信号の水平同期信号をトリガとして所定の時間が経過したタイミングを起点として基準信号を生成する基準信号生成回路と、
入力される前記モニタ信号と、前記基準信号との位相を比較し、位相比較情報を出力する位相比較回路と、
あらかじめ設定された初期カウント値と、前記位相比較回路からの前記位相比較情報とから、前記スタート信号を生成するタイミングを調整するための積算カウント値を出力する加算回路と、を備え、
前記信号生成回路は、前記水平同期信号をトリガとして、前記積算カウント値に基づいたタイミングを起点として、前記スタート信号を含む複数のタイミング信号を生成し、前記液晶パネルに供給することを特徴とする液晶パネルの駆動装置。
【請求項２】
前記位相比較回路は、前記基準信号に対する前記モニタ信号の位相が一致している場合、前記位相比較情報として積算カウント値を変更させないデータを出力し、前記基準信号に対して前記モニタ信号の位相が進んでいる場合、前記位相比較情報として位相を遅らせる方向に積算カウント値を１だけ変更させるデータを出力し、前記基準信号に対して前記モニタ信号の位相が遅れている場合、前記位相比較情報として位相を進ませる方向に積算カウント値を１だけ変更させるデータを出力し、
前記加算回路は、前記初期カウント値に、前記位相比較情報としてのデータが示す値の積算値を加えた値を前記積算カウント値として、前記カウンタに供給することを特徴とする請求項１に記載の液晶パネルの駆動装置。
【請求項３】
前記スタート信号を含む複数の前記タイミング信号の同期を取るための基準クロックを逓倍することにより所定の逓倍クロックを生成する逓倍回路を備え、
前記基準信号生成回路は、前記逓倍クロックに同期させて前記基準信号を生成し、
前記カウンタは、前記逓倍クロックによりカウントを行うことを特徴とする請求項１または２に記載の液晶パネルの駆動装置。
【請求項４】
前記カウンタの初期カウント値は、前記カウンタの総カウント数の略２０〜８０％の範囲内のカウント値に設定されていることを特徴とする請求項１〜３のいずれか一項に記載の液晶パネルの駆動装置。
【請求項５】
前記信号生成回路は、カウンタを備え、前記水平同期信号をトリガとして、所定の時間を設け、前記所定の時間が経過した後に、前記カウンタにより前記積算カウント値に応じたカウント行わせ、前記カウントが終了したタイミングを起点として、前記スタート信号を生成することを特徴とする請求項１〜４のいずれか一項に記載の液晶パネルの駆動装置。
【請求項６】
前記基準信号を生成するための所定の時間は、前記水平同期信号をトリガとして、前記所定の時間が経過した後に、前記初期カウント値に基づいたタイミングを起点として生成されたスタート信号が、標準的な伝達特性を持つ前記液晶パネルに入力したときに、前記液晶パネルから出力される前記モニタ信号の位相が、前記基準信号の位相と略一致するような時間に設定されていることを特徴とする請求項５に記載の液晶パネルの駆動装置。
【請求項７】
前記請求項１〜６のいずれか一項に記載の液晶パネルの駆動装置と、前記液晶パネルとを、備えることを特徴とする画像表示装置。
【発明の詳細な説明】
【技術分野】
【０００１】
本発明は、薄膜トランジスタ（以下、ＴＦＴと称する）駆動などによるアクティブマトリクス駆動方式の液晶パネルの駆動装置、および前記駆動装置を備えた画像表示装置に関する。
【背景技術】
【０００２】
ＴＦＴ駆動によるアクティブマトリクス駆動方式の液晶パネルを用いた画像表示装置として、例えば、特許文献１のような電子機器が知られている。図７は、特許文献１の電子機器に備えられている液晶パネル２０１と、当該液晶パネルの駆動装置２０３との概略構成図である。
液晶パネル２０１には、縦横にそれぞれ配列された、多数の走査線Ｙ１〜Ｙｍおよびデータ線Ｘ１〜Ｘｎと、この走査線とデータ線の各交点に対応する多数の画素電極２４０とが、ガラス基板上に設けられている。これらに加えて、走査線駆動回路２３０、データ線駆動回路２２０、サンプリング回路ＳＨ１〜ＳＨｎ、画素ＴＦＴ回路ＳＴ１〜ＳＴｎなどの周辺回路が、このガラス基板上に設けられている。さらに、対向する２つのガラス基板の間に、上述の多数の画素電極の１つ１つに対応した液晶セルが封入され、液晶パネル２０１が構成されている。
【０００３】
駆動装置２０３は、分周回路などを含む信号生成回路である。駆動装置２０３には、動作クロックＣＬＫおよび画像信号の水平同期信号ＨＳＹＮＣ、垂直同期信号ＶＳＹＮＣが供給されている。駆動装置２０３は、水平同期信号ＨＳＹＮＣをトリガとして、動作クロックＣＬＫに基づきタイミング信号としてのスタート信号ＤＸ、クロック信号ＣＬＸ、反転クロック信号ＣＬＸＮ、イネーブル信号ＥＮＢＸなどを生成する。
選択回路Ｌ１〜Ｌｎを含んで構成されるデータ線駆動回路２２０は、駆動装置２０３から供給される複数のタイミング信号に基づいて、サンプリング回路ＳＨ１〜ＳＨｎの駆動タイミングを決定するサンプリング信号Ｓ１〜Ｓｎを生成する。
ＴＦＴ等のスイッチング素子から構成されたサンプリング回路ＳＨ１〜ＳＨｎは、サンプリング信号Ｓ１〜Ｓｎがハイレベルな期間だけ、６相に相展開された画像信号ＶＩＤ１〜６を、画素ＴＦＴ回路ＳＴ１〜ＳＴｎに対して出力する。
画素ＴＦＴ回路ＳＴ１〜ＳＴｎには、走査線駆動回路２３０から出力される走査信号Ｙ１〜Ｙｎが入力され、この走査信号Ｙ１〜Ｙｎがハイレベルな期間のみ、画像信号ＶＩＤ１〜６を画素電極２４０に対して出力する。このようにして液晶パネル２０１に、画像信号ＶＩＤ１〜６にて表される映像が表示される。
【０００４】
液晶パネル２０１において、データ線駆動回路２２０に含まれるシフトレジスタや、選択回路Ｌ１〜ＬｎのＮＡＮＤ回路などを構成するトランジスタの特性が劣化している場合、サンプリング信号Ｓ１〜Ｓｎの信号間で重複が発生し、ゴースト画像が表示されてしまうことがあった。
このような問題点に鑑み、特許文献１の電子機器は、サンプリング信号Ｓ１〜Ｓｎがハイレベルな期間を、イネーブル信号ＥＮＢＸにより調節することにより、サンプリング信号Ｓ１〜Ｓｎの重複をなくし、ゴーストの発生を防いでいた。
【０００５】
また、ゴースト画像は、画像信号ＶＩＤ１〜６の飽和レベルに達した期間と、サンプリング信号Ｓ１〜Ｓｎのハイレベルな期間とのズレに起因して発生することもあった。
画像信号ＶＩＤ１〜ＶＩＤ６は、液晶パネル２０１の内部回路によって積分されることにより、波形のエッジが鈍化している。このため、画像信号ＶＩＤ１〜６の飽和レベルに達した期間と、サンプリング信号Ｓ１〜Ｓｎのハイレベルな期間とが一致していないと、ゴースト画像が発生してしまう。
サンプリング信号Ｓ１〜Ｓｎのハイレベルな期間は、データ線駆動回路２２０や、サンプリング回路ＳＨ１〜ＳＨｎを構成する回路素子などの特性が、液晶パネル２０１の使用時における温度変化や経時変化により変わることに起因して、画像信号ＶＩＤ１〜６の飽和レベルに達した期間と、時間的にズレてしまうことがあった。
【０００６】
【特許文献１】特開平１１−２８２４２６号公報
【発明の開示】
【発明が解決しようとする課題】
【０００７】
しかしながら、特許文献１の電子機器では、サンプリング信号Ｓ１〜Ｓｎの重複によるゴースト画像の発生は防止できるものの、画像信号ＶＩＤ１〜６の飽和レベルに達した期間と、液晶パネル２０１の使用時における温度変化や経時変化により変わるサンプリング信号Ｓ１〜Ｓｎのハイレベルな期間との、ズレに起因して発生するゴースト画像については考慮されていなかった。
ここで、画像信号の飽和レベルに達した期間と、サンプリング信号のハイレベルな期間との時間的なズレに起因して発生するゴースト画像について説明する。
図６（Ａ）は、ゴースト画像が発生していない適切な画像と、当該画像を表している画像信号およびサンプリング信号の状態を示す図である。
画像信号ＶＩＤにより表される画像３００には、薄い灰色の背景色に黒色の略四角形のウィンドウパターン３０１が表示されている。画像信号ＶＩＤは６相に展開され、画像信号ＶＩＤ１〜ＶＩＤ６として液晶パネル２０１に供給されている。
【０００８】
画像信号ＶＩＤ１〜ＶＩＤ６は、薄い灰色を示す電圧レベル（３Ｖ）と、黒色を示す電圧レベル（２Ｖ）とを有する波形で表される。画像信号ＶＩＤ１〜ＶＩＤ６は、液晶パネル２０１の内部回路によって積分されることにより、波形のエッジが鈍化しているため、飽和レベルに達した期間（例えば、画像信号周期Ｔａ，Ｔｂ内のできるだけ遅い期間）において、画素ＴＦＴ回路ＳＴ１〜ＳＴｎに出力される必要がある。
サンプリング信号Ｓｋのハイレベル期間Ｑａは、ウィンドウパターン３０１左辺の画素Ｐ１〜６に対応する画素ＴＦＴ回路に対して、画像信号ＶＩＤ１〜ＶＩＤ６を入力させるタイミングを決定している。
ハイレベル期間Ｑａは、画像信号ＶＩＤ１〜ＶＩＤ６における画像信号周期Ｔａの薄い灰色の飽和レベル（３Ｖ）に達した期間と時間的に合っており、画素Ｐ１〜６のそれぞれの画素電極には、薄い灰色を表す画像信号ＶＩＤ１〜ＶＩＤ６が入力される。
【０００９】
サンプリング信号Ｓｋ+１のハイレベル期間Ｑｂは、ウィンドウパターン３０１内部の画素Ｐ７〜１２に対応する画素ＴＦＴ回路に対して、画像信号ＶＩＤ１〜ＶＩＤ６を入力させるタイミングを決定している。
ハイレベル期間Ｑｂは、画像信号ＶＩＤ１〜ＶＩＤ６における画像信号周期Ｔｂの黒色飽和レベル（２Ｖ）に達した期間と時間的に合っており、画素Ｐ１〜６のそれぞれの画素電極には、黒色を表す画像信号ＶＩＤ１〜ＶＩＤ６が入力される。
よって、図６（Ａ）の状態では、ウィンドウパターン２０１の左端にゴーストは発生していない。
ここまで、画素Ｐ１〜１２のラインを事例として説明したが、当該ラインのみならず、液晶パネル２０１上の全てのライン上において同様なタイミングで画像が表示されるため、画像３００全体としてゴーストは発生していない。
【００１０】
図６（Ｂ）は、サンプリング信号が画像信号に対して時間的に進んだことによりゴーストが発生している画像と、当該画像を表している画像信号およびサンプリング信号の状態を示す図である。
図６（Ｂ）では、液晶パネル２０１の温度および経時変化の影響によりサンプリング信号ＳｋおよびＳｋ＋１が時間的に進んだため、ハイレベル期間Ｑｂは、その一部が、画像信号ＶＩＤ１〜ＶＩＤ６における画像信号周期Ｔｂの黒色の飽和レベル（２Ｖ）からずれ、薄い灰色に近い電圧レベルと時間的に重なっている。
このため、画素Ｐ７〜１２のそれぞれの画素電極には、黒色の飽和レベル（２Ｖ）に達した画像信号ＶＩＤ１〜ＶＩＤ６の他に、薄い灰色に近い電圧レベルの画像信号ＶＩＤ１〜ＶＩＤ６も、一部入力されることとなり、混合されてウィンドウパターン３０１左辺の内側に、濃い灰色Ａのゴーストが発生している。
【００１１】
なお、この時ウィンドウパターン３０１右辺の外側の連続する６つの画素においても同様の現象が起こっている。それぞれの画素電極には、黒色の飽和レベル（２Ｖ）に達した画像信号ＶＩＤ１〜ＶＩＤ６の他に、薄い灰色に近い電圧レベルの画像信号ＶＩＤ１〜ＶＩＤ６も、一部入力されることとなるため、混合されてウィンドウパターン３０１右辺の外側にも、濃い灰色Ｂのゴーストが発生することとなる。
さらに、当該ゴーストは、画素Ｐ６〜１２のラインのみならず、液晶パネル上の全てのライン上において同様に発生する。よって、ウィンドウパターン３０１左辺の内側に濃い灰色Ａのゴーストが発生し、ウィンドウパターン３０１右辺の外側に濃い灰色Ｂのゴーストが発生する。また、濃い灰色Ａ，Ｂのそれぞれの色の濃さは、サンプリング回路駆動Ｓｋ，Ｓｋ＋１の時間的な進みの度合いによって異なることとなる。
【００１２】
図６（Ｃ）は、サンプリング信号が画像信号に対して時間的に遅れたことによりゴーストが発生している画像と、当該画像を表している画像信号およびサンプリング信号の状態を示す図である。
図６（Ｃ）では、液晶パネル２０１の温度および経時変化の影響によりサンプリング信号ＳｋおよびＳｋ＋１が時間的に遅れたため、ハイレベル期間Ｑａは、その一部が、画像信号ＶＩＤ１〜ＶＩＤ６における画像信号周期Ｔａの薄い灰色の飽和レベル（３Ｖ）からずれ、黒色に近い電圧レベルと時間的に重なっている。
このため、画素Ｐ１〜６のそれぞれの画素電極には、薄い灰色の飽和レベル（３Ｖ）に達した画像信号ＶＩＤ１〜ＶＩＤ６の他に、黒色に近い電圧レベルの画像信号ＶＩＤ１〜ＶＩＤ６も一部入力されることとなり、混合されてウィンドウパターン３０１左辺の外側に、濃い灰色Ｃのゴーストが発生している。
【００１３】
なお、この時ウィンドウパターン３０１右辺の内側の連続する６つの画素においても同様の現象が起こっている。それぞれの画素電極には、薄い灰色の飽和レベル（３Ｖ）に達した画像信号ＶＩＤ１〜ＶＩＤ６の他に、黒色に近い電圧レベルの画像信号ＶＩＤ１〜ＶＩＤ６も一部入力されることとなり、混合されてウィンドウパターン３０１左辺の内側に、濃い灰色Ｄのゴーストが発生している。
さらに、当該ゴーストは、画素Ｐ６〜１２のラインのみならず、液晶パネル上の全てのライン上において同様に発生する。よって、ウィンドウパターン３０１左辺の内側に濃い灰色Ｃのゴーストが発生し、ウィンドウパターン３０１右端の外側に濃い灰色Ｄのゴーストが発生する。また、濃い灰色Ｃ，Ｄのそれぞれの色の濃さは、サンプリング回路駆動Ｓｋ，Ｓｋ＋１の時間的な進みの度合いによって異なることとなる。
【００１４】
以上の説明は、液晶パネル２０１がモノクロ表示対応の場合であるが、液晶パネル２０１がカラー表示対応であっても、上述の現象は発生する。
例えば、液晶パネル２０１が、各画素毎に、Ｒ（赤）、Ｇ（緑）、Ｂ（青）、のいずれかのカラーフィルタを用いて、透過する光に彩色するカラー表示対応の液晶パネルである場合、３つの連続する画素で１つの色を合成するので、この３つの連続する画素が、上述のモノクロ表示対応の液晶パネルの１つの画素に相当することとなる。
このように、従来の電子機器では、液晶パネルの使用時における温度変化や経時変化に伴うタイミング信号の時間的なズレに起因するゴーストを完全に防止することが困難であるという問題を有していた。
【００１５】
上記課題を解決するために、本発明では、温度変化や経時変化の影響により液晶パネル内部回路の特性変化があっても、簡便な構成によりゴーストのない鮮明な画像を得ることができる液晶パネルの駆動装置および画像表示装置を提供することを目的とする。
【課題を解決するための手段】
【００１６】
前記目的を達成するために、本発明の映像表示装置によれば、マトリクス状に配列された複数の液晶セルと、液晶セルごとに設けられた画素電極と、各画素電極に画像信号を入力するための複数のデータ線と、画像信号をサンプリングするためのサンプリング信号を、入力される複数のタイミング信号から生成するデータ線駆動回路と、サンプリング信号に応じて画像信号をサンプリングしデータ線に出力するデータ線ごとに設けられた複数のサンプリング回路と、少なくともサンプリング回路と同一基板上に形成されたダミー素子とを有する液晶パネルの駆動装置であって、複数のタイミング信号として、スタート信号とスタート信号を位相の基準として生成された他の信号とを生成する信号生成回路と、画像信号の水平同期信号をトリガとして所定の時間が経過したタイミングを起点として基準信号を生成する基準信号生成回路と、入力されるモニタ信号と、基準信号との位相を比較し、位相比較情報を出力する位相比較回路と、あらかじめ設定された初期カウント値と、位相比較回路からの位相比較情報とから、スタート信号を生成するタイミングを調整するための積算カウント値を出力する加算回路と、を備え、信号生成回路は、水平同期信号をトリガとして、積算カウント値に基づいたタイミングを起点として、スタート信号を含む複数のタイミング信号を生成し、液晶パネルに供給することを特徴とする。
【００１７】
この構成によれば、ダミー素子は、少なくともサンプリング回路と同一の基板に形成されているので、サンプリング回路と同様の寄生容量や配線抵抗などを含み、ほぼ同等のタイミング信号の伝達特性を持っている。
よって、ダミー素子を経由して出力されたモニタ信号は、温度変化や経時変化の影響による液晶パネル内部回路の伝達特性の変化を反映している。
信号生成回路は、水平同期信号をトリガとして、積算カウント値に基づいたタイミングを起点として、スタート信号を含む複数のタイミング信号を生成し、液晶パネルに供給することから、液晶パネルの駆動装置は、初期カウント値に、モニタ信号と基準信号との位相を比較した位相比較情報が加味された積算カウント値に応じた時間が経過したタイミングで、タイミング信号の位相の基準となるスタート信号を生成する。
【００１８】
画像の描写タイミングを計るための水平同期信号をトリガとして固定された位相を持つ基準信号と、モニタ信号との位相比較情報が加味されたものであることから、積算カウント値に応じた時間が経過したタイミングで生成されるスタート信号は、適正な位相状態に近づくように補正されたものとなっている。
さらに、位相が補正されたスタート信号は、再度、ダミー素子を経由してモニタ信号として出力され、位相比較回路で基準信号との位相を比較される。このようにして、スタート信号の補正状態のフィードバックが繰り返されることにより、スタート信号は、適正な位相に補正される。よって、ゴーストのない適正な画像を得ることができる。
また、液晶パネルの駆動装置を構成する信号生成回路、基準信号生成回路、位相比較回路、加算回路などの構成部位は、分周器や、位相ディテクタ、シフトレジスタ、カウンタなど、高集積化が容易なデジタル回路により構成できる。
よって、液晶パネルの駆動装置の構成を、例えば、１チップの集積回路に収めることができる。
従って、液晶パネルの駆動装置は、温度変化や経時変化の影響により液晶パネル内部回路の特性変化があっても、簡便な構成によりゴーストのない鮮明な画像を得ることができる。
【００１９】
本発明に係る液晶パネルの駆動装置によれば、位相比較回路は、基準信号に対するモニタ信号の位相が一致している場合、位相比較情報として積算カウント値を変更させないデータを出力し、基準信号に対してモニタ信号の位相が進んでいる場合、位相比較情報として位相を遅らせる方向に積算カウント値を１だけ変更させるデータを出力し、基準信号に対してモニタ信号の位相が遅れている場合、位相比較情報として位相を進ませる方向に積算カウント値を１だけ変更させるデータを出力し、加算回路は、初期カウント値に、位相比較情報としてのデータが示す値の積算値を加えた値を積算カウント値として、カウンタに供給することが好ましい。
【００２０】
この構成によれば、位相比較回路は、基準信号に対するモニタ信号の位相が一致している場合、位相比較情報として積算カウント値を変更させないデータを出力し、モニタ信号の位相が進んでいる場合、位相を遅らせる方向に積算カウント値を１だけ変更させるデータを出力し、モニタ信号の位相が遅れている場合、位相を進ませる方向に積算カウント値を１だけ変更させるデータを出力する。さらに加算回路は、初期カウント値に、位相比較情報としてのデータが示すカウント値を加えた値を積算カウント値として、カウンタに供給することから、液晶パネルの駆動装置は、モニタ信号の位相比較結果によりスタート信号が適正な位相状態である場合には、前回の積算カウント値による位相補正を継続し、位相がズレている場合には、適正な位相状態に近づけるために、１回のフィードバックで１カウントづつのカウント時間に相当する位相補正を行う。
また、位相比較回路は、位相比較情報として積算カウント値を維持するためのデータと、積算カウント値を遅らせるための１カウント相当のデータと、積算カウント値を進ませるための１カウント相当のデータとの、３態様の出力が可能な構成であれば良いことから、２ビットのデータ出力機能を持つ簡単な構成で良い。さらに、加算回路は、初期カウント値に、２ビットのデータを加算することが可能な単純な積算レジスタで構成することができる。
従って、簡便な構成の液晶パネルの駆動装置を提供することができる。
【００２１】
本発明に係る液晶パネルの駆動装置は、スタート信号を含む複数のタイミング信号の同期を取るための基準クロックを逓倍することにより所定の逓倍クロックを生成する逓倍回路を備え、基準信号生成回路は、逓倍クロックに同期させて基準信号を生成し、カウンタは、逓倍クロックによりカウントを行うことが好ましい。
【００２２】
この構成によれば、基準信号生成回路は、逓倍クロックに同期させて基準信号を生成することから、液晶パネルの駆動装置は、基準信号の位相を精密に設定することができる。
また、カウンタは、逓倍クロックによりカウントを行うことから、液晶パネルの駆動装置は、基準クロックの周期では長すぎて調整することができない短時間の位相補正を、逓倍クロックにより精密に行うことができる。
よって、スタート信号を含む複数のタイミング信号を、より適切な位相状態に調整することができる。
従って、液晶パネルの駆動装置は、温度変化や経時変化の影響により液晶パネル内部回路の特性変化があっても、ゴーストのない鮮明な画像を得ることができる。
【００２３】
本発明に係る液晶パネルの駆動装置によれば、カウンタの初期カウント値は、カウンタの総カウント数の略２０〜８０％の範囲内のカウント値に設定されていることが好ましい。
【００２４】
この構成によれば、カウンタの初期カウント値は、カウンタの総カウント数の略２０〜８０％の範囲内のカウント値に設定されていることから、初期カウント値のプラス側にもマイナス側にも一定のカウント値の余裕があるので、モニタ信号の位相比較結果によりスタート信号の位相がズレていたときに、位相の進みおよび遅れの双方向に対して一定の幅を持って調整を行うことができる。
従って、液晶パネルの駆動装置は、スタート信号を含む複数のタイミング信号の位相を、進みおよび遅れの双方向に対して適切な状態となるまで補正することができる。
【００２５】
本発明に係る液晶パネルの駆動装置によれば、信号生成回路は、カウンタが積算カウント値に応じたカウントを始める前に、基準信号の起点と同一のタイミングを起点として、所定の時間を設け、所定の時間が経過した後に、カウンタにより積算カウント値に応じたカウント行わせ、カウントが終了したタイミングを起点として、スタート信号を生成することが好ましい。
【００２６】
この構成によれば、信号生成回路は、カウンタが積算カウント値に応じたカウントを始める前に、基準信号の起点と同一のタイミングを起点として、所定の時間を設け、所定の時間が経過した後に、カウンタにより積算カウント値に応じたカウント行わせ、カウントが終了したタイミングを起点として、スタート信号を生成することから、スタート信号が生成されるタイミングまでの時間を、全てカウンタのカウント時間により賄う必要はない。よって、カウンタの総カウント数を小さくでき、カウンタは小型で良い。
従って、簡便な構成の液晶パネルの駆動装置を提供することができる。
【００２７】
本発明に係る液晶パネルの駆動装置によれば、基準信号を生成するための所定の時間は、水平同期信号をトリガとして、所定の時間が経過した後に、初期カウント値に基づいたタイミングを起点として生成されたスタート信号が、標準的な伝達特性を持つ液晶パネルに入力したときに、液晶パネルから出力されるモニタ信号の位相が、基準信号の位相と略一致するような時間に設定されていることが好ましい。
【００２８】
この構成によれば、所定の時間は、水平同期信号をトリガとして、所定の時間が経過した後に、初期カウント値に基づいたタイミングを起点として生成されたスタート信号が、標準的な伝達特性を持つ液晶パネルに入力したときに、液晶パネルから出力されるモニタ信号の位相が、基準信号の位相と略一致するような時間に設定されていることから、液晶パネルの駆動装置は、小さなカウンタによる簡便な構成であっても、タイミング信号の位相を適切な状態に調整することができる。
【００２９】
本発明に係る画像表示装置は、前記記載の液晶パネルの駆動装置と、液晶パネルとを、備えることを特徴とする。
【００３０】
この構成によれば、画像表示装置は、本発明に係る液晶パネルの駆動装置と、液晶パネルとを備えることから、温度変化や経時変化の影響により液晶パネル内部回路の特性変化があっても、ゴーストのない鮮明な画像を得ることができる。
【発明を実施するための最良の形態】
【００３１】
以下、添付図面に基づいて、本発明の実施形態を詳細に説明する。
【００３２】
（実施形態）
《画像表示装置の概要》
図１は、本実施形態の画像表示装置の一実施形態における概略構成図である。ここでは、画像表示装置１００の概略構成について説明する。
画像表示装置１００は、表示情報出力部７と、クロック供給部９と、画像処理部５と、液晶パネルの駆動装置としての駆動装置３と、液晶パネル１と、電源供給部１１などから構成されている。
【００３３】
表示情報出力部７は、外部から画像信号を入力し、クロック供給部９からのクロック信号に基づいて、この画像信号を、所定フォーマットの画像信号に変換し、画像処理部５に出力する。
クロック供給部９は、水晶振動子などの発振子を含む発振回路であり、基準クロック信号である基準クロックＣＬＫを各部に供給する。
画像処理部５では、入力された画像信号で表される画像を拡大および縮小することにより液晶パネル１の持つ解像度に合わせるスケーリング処理などの画像処理を行って、液晶パネル部１に出力するとともに、基準クロックＣＬＫ、水平同期信号ＨＳＹＮＣ、および垂直同期信号ＶＳＹＮＣを駆動装置３に供給する。
【００３４】
駆動装置３は、画像処理部５からの基準クロックＣＬＫ、水平同期信号ＨＳＹＮＣ、および垂直同期信号ＶＳＹＮＣに基づき、液晶パネル部１を駆動するタイミングを決定付ける複数のタイミング信号を生成し、液晶パネル部１に出力する。
液晶パネル部１は、駆動装置３から供給されたタイミング信号に基づいて駆動し、画像処理部５より入力された画像信号を、画像として表示するとともに、モニタ信号ＭＯＮＩを、駆動装置３に出力する。
電源供給部１１は、上述の各構成部に対して電力を供給する。
【００３５】
《駆動装置および液晶パネルの概要》
図２は、駆動装置および液晶パネルの概略構成図である。
ここでは、画像表示装置１００における、駆動装置３と、液晶パネル１との概略構成について図２を用いて説明する。
駆動装置３は、逓倍回路１２と、基準信号生成回路１３と、位相比較回路１４と、加算回路１５と、信号生成回路１７などから構成されている。
逓倍回路１２は、例えば、ＰＬＬ（Phase Locked Loop）であり、基準クロックＣＬＫを逓倍した逓倍クロックを生成する。例えば、基準クロックＣＬＫが７５ＭＨｚであった場合、４逓倍した３００ＭＨｚの逓倍クロックを生成する。逓倍回路１２は、基準信号生成回路１３、信号生成回路１７などに４逓倍クロックを供給する。
基準信号生成回路１３には、基準クロックＣＬＫ、４逓倍クロック、水平同期信号ＨＳＹＮＣなどが供給されている。基準信号生成回路１３は、４逓倍クロックに基づき、水平同期信号ＨＳＹＮＣをトリガとして、所定の時間が経過したタイミングを起点として、基準信号ＲＥＦＥを生成する。
【００３６】
位相比較回路１４は、例えば、位相ディテクタであり、基準信号ＲＥＦＥとモニタ信号ＭＯＮＩとの位相を比較し、以下に述べるような位相比較情報を出力する。
位相比較回路１４は、基準信号ＲＥＦＥに対するモニタ信号ＭＯＮＩの位相が一致している場合、「積算カウント値を変更させない」ために「±０」を示すデータ「００」を出力する。また、基準信号ＲＥＦＥに対してモニタ信号ＭＯＮＩの位相が進んでいる場合、「位相を遅らせる方向に積算カウント値を１だけ変更させる」ために「＋１」を示すデータ「０１」を、基準信号ＲＥＦＥに対してモニタ信号ＭＯＮＩの位相が遅れている場合、「位相を進ませる方向に積算カウント値を１だけ変更させる」ために「−１」を示すデータ「１１」を出力する。
加算回路１５は、例えば、積算レジスタであり、あらかじめ設定された初期カウント値「Ｄｅｆｖ」と、位相比較回路１４からの位相比較情報とから、スタート信号ＤＸを生成するタイミングを調整するための積算カウント値を出力する。初期カウント値「Ｄｅｆｖ」としては、カウンタ１９の総カウント数の略２０〜８０％の範囲内のカウント値に設定されている。例えば、カウンタ１９が８ビットのカウンタの場合、「１２７カウント」を設定する。
加算回路１５は、初期カウント値に、位相比較情報としてのデータが示す値の積算値を加えた値を積算カウント値として、カウンタ１９に供給する
ここで、位相比較情報が示すデータの正負の関係は、後述のカウンタの構成によっては、逆であってもかまわない。
【００３７】
信号生成回路１７は、カウンタ１９を含んで構成されている。なお、カウンタ１９は、例えば、独立した部位として構成されていても良い。
カウンタ１９は、例えば、８ビットのカウンタである。カウンタ１９は、逓倍回路１２から供給される４逓倍クロックをクロックとしてカウントする。なお、カウンタ１９は、基準クロックＣＬＫをクロックとしてカウントを行っても良い。
信号生成回路１７は、スタート信号ＤＸを含む複数のタイミング信号を生成し、液晶パネル１に供給する。
スタート信号ＤＸは、水平同期信号ＨＳＹＮＣをトリガとし、所定の時間を経た後、カウンタ１９により積算カウント値に応じたカウントが終了したタイミングを起点として生成される。
さらに信号生成回路１７は、スタート信号ＤＸを基準に、スタート信号ＤＸとの位相が合った複数のタイミング信号ＣＬＸＮ，ＥＮＢＸなどを生成し、基準クロックＣＬＫとともに液晶パネル１に供給する。
【００３８】
続いて、液晶パネル１の概略構成について説明する。
液晶パネル１は、データ線駆動回路２０と、走査線駆動回路３０と、走査線Ｙ１〜Ｙｍと、データ線Ｘ１〜Ｘｎと、サンプリング回路ＳＨ１〜ＳＨｎと、画素電極４０と、画素ＴＦＴ回路ＳＴ１〜ＳＴｎ、ダミー素子５０などから構成されている。
データ線駆動回路２０は、３入力ＡＮＤ回路である選択回路Ｌ１〜Ｌｎを含んで構成され、信号生成回路１７から供給されるスタート信号ＤＸ、基準クロックＣＬＸ、反転クロック信号ＣＬＸＮの３つのタイミング信号に基づき出力信号Ｑ１〜Ｑｎを生成する。
データ線駆動回路２０の選択回路Ｌ１は、生成された信号Ｑ１，Ｑ２および、信号生成回路１７から供給されるイネーブル信号ＥＮＢＸの３つの信号から論理積によりサンプリング信号Ｓ１を生成する。同様に、選択回路Ｌ２〜Ｌｎは、イネーブル信号ＥＮＢＸおよび隣接する２つの信号「Ｑ２，Ｑ３」，「Ｑ３，Ｑ４」…「Ｑｎ-1，Ｑｎ」の３つの信号から論理積によりサンプリング信号Ｓ２〜Ｓｎを生成する。
【００３９】
走査線駆動回路３０は、走査線Ｙ１〜Ｙｍに対して、信号生成回路１７から供給されるクロックＣＫに基づいたタイミングで、各走査線Ｙ１〜Ｙｍを順次選択して走査信号を出力する。
データ線駆動回路２０および走査線駆動回路３０は、ともにシフトレジスタなどの回路により構成されている。
走査線Ｙ１〜Ｙｍは、ＩＴＯ（Indium Tin Oxide）膜などの透明電極からなる複数の配線であり、各々がｘ方向に伸びている。
データ線Ｘ１〜Ｘｎは、ＩＴＯなどの透明電極からなる複数の配線であり、各々がｙ方向に沿って伸びている。
サンプリング回路ＳＨ１〜ＳＨｎは、ＴＦＴで構成されたスイッチング素子であり、各データ線Ｘ１〜Ｘｎに対応して設けられている。
画素電極４０は、複数の走査線Ｙ１〜Ｙｍおよびデータ線Ｘ１〜Ｘｎの各交点に設けられている。
【００４０】
画素ＴＦＴ回路ＳＴ１〜ＳＴｎは、各画素電極４０に対応して設けられている。画素ＴＦＴ回路ＳＴ１〜ＳＴｎには、ソース電極に各データ線Ｘ１〜Ｘｎが、ドレイン電極に各画素電極４０が、ゲート電極に各走査線Ｙ１〜Ｙｍが、それぞれ接続されており、対応する各々の画素電極４０への導通状態と非導通状態を制御している。
これらの液晶パネル１の各構成部位は、液晶パネル１のガラス基板（図示せず）上に設けられている。また、対向する２つのガラス基板の間に、複数の画素電極４０の１つ１つに対応した液晶セルが封入されている。
【００４１】
ダミー素子５０は、サンプリング回路ＳＨ１〜ＳＨｎなどの液晶パネル１の各構成部位と同一のガラス基板上に設けられている。
信号生成回路１７から供給されるスタート信号ＤＸは、ダミー素子５０に向かって分岐している。分岐したスタート信号ＤＸは、ダミー素子５０を経由して、モニタ信号ＭＯＮＩとなって、駆動装置３の位相比較回路１４に出力される。
ダミー素子５０は、液晶パネル部１内におけるデータ線駆動回路２０や、サンプリング回路ＳＨ１〜ＳＨｎなどと同一のガラス基板上に、同様の製造工程を経て形成されている。
このため、ダミー素子５０は、データ線駆動回路２０や、サンプリング回路ＳＨ１〜ＳＨｎなどと同様の寄生容量や配線抵抗などを含むことから、当該部位を構成しているＴＦＴなどの回路や透明電極が持つ信号の伝達特性と同等の伝達特性を有している。
よって、液晶パネル部１の使用時に、温度変化や経時変化に起因して、データ線駆動回路２０や、サンプリング回路ＳＨ１〜ＳＨｎなどにおいて、信号の位相のズレが生じた場合、ダミー素子５０においても、略同様の現象が生ずることとなる。
【００４２】
サンプリング回路ＳＨ１〜ＳＨｎは、画像処理部５（図１）からの６相に並列展開された画像信号ＶＩＤ１〜ＶＩＤ６を、選択回路Ｌ１〜Ｌｎからのサンプリング信号Ｓ１〜Ｓｎに基づいてサンプリングし、対応する各データ線Ｘ１〜Ｘｎに出力する。
ここで、１つの選択回路Ｌ１が出力するサンプリング信号Ｓ１は、連続する６つのサンプリング回路ＳＨ１〜ＳＨ６に並列に入力される。これは、画像信号ＶＩＤ１〜ＶＩＤ６が６相に並列展開されているので、連続する６つのデータ線Ｘ１〜Ｘｎに対して、画像信号ＶＩＤ１〜ＶＩＤ６を、それぞれ同一のタイミングおよび同一の期間で出力することを目的としている。
【００４３】
《適切な位相状態における動作》
図３は、ゴースト画像が発生していない適切な状態における、各信号のタイミングを示すタイミングチャートである。適切な状態とは、図６（Ａ）に示すように、サンプリング回路駆動信号Ｓ１〜Ｓｎのハイレベルな期間と、画像信号ＶＩＤ１〜ＶＩＤ６の飽和レベルに達した期間とが時間的に合っており、ゴースト画像が発生していない適切な状態のことである。
ここでは、図３と、図２を用いて、画像表示装置１００において、ゴースト画像が発生していない適切な画像状態における駆動装置３の動作について説明する。
なお、駆動装置３おけるクロックは、基準クロックＣＬＫの他に、逓倍回路１２で生成された４逓倍クロックがあるが、図３においては省略している。後述する図４および図５においても省略している。
【００４４】
信号生成回路１７は、水平同期信号ＨＳＹＮＣの立ち上りエッジから所定の時間Δｔ０が経過し、さらにカウンタ１９が積算カウント値に応じたカウントを終了したタイミングを起点としてスタート信号ＤＸを生成し、液晶パネル１に出力する。
所定の時間Δｔ０は、画像信号ＶＩＤ１〜ＶＩＤ６のタイミングから導出された時間であり、あらかじめ信号生成回路１７に設定されている。
駆動装置３の起動時においては、所定の時間Δｔ０が経過した後に、カウンタ１９のカウントが開始され、カウンタ１９による初期カウント値「Ｄｅｆｖ」に応じたカウントが終了したタイミングを起点としてスタート信号ＤＸが生成される。
【００４５】
基準信号生成回路１３は、４逓倍クロックに基づき、水平同期信号ＨＳＹＮＣの立ち上りエッジをトリガとして、所定の時間Δｔ５が経過したタイミングを起点として、基準信号ＲＥＦＥを生成する。なお、基準信号ＲＥＦＥは、基準クロックＣＬＫを基準として生成されることとしても良い。
所定の時間Δｔ５は、上述した標準のＤＸの出力タイミングと液晶パネル１の標準的な信号の伝達特性から導出された時間であり、あらかじめ基準信号生成回路１３に設定されている。
これにより、液晶パネル１が標準的な信号の遅延特性をもっている場合に、モニタ信号ＭＯＮＩの位相は、基準信号ＲＥＦＥと略一致する。
【００４６】
信号生成回路１７から液晶パネル１に出力されたスタート信号ＤＸは、液晶パネル１のダミー素子５０を経由して、モニタ信号ＭＯＮＩとなって、駆動装置３の位相比較回路１４に出力される。このため、モニタ信号ＭＯＮＩの位相は、ダミー素子５０を経由する時間の分、常にスタート信号ＤＸよりも遅れている。
図３において、基準信号ＲＥＦＥと、モニタ信号ＭＯＮＩとの位相は、一致している。
このため、位相比較回路１４は、位相比較情報として基準信号ＲＥＦＥに対するモニタ信号ＭＯＮＩの位相が一致していることから「積算カウント値を変更させない」ための「±０」値を示すデータ「００」を加算回路１５に出力する。
加算回路１５は、初期カウント値「Ｄｅｆｖ」にデータ「００」が示す「±０」を加えた積算カウント値「Ｄｅｆｖ＋０」をカウンタ１９に出力する。
【００４７】
これにより、信号生成回路１７は、図３のスタート信号ＤＸのタイミングチャートに示すように、基準信号ＲＥＦＥと、モニタ信号ＭＯＮＩとの位相のズレがなかったため、次の水平同期信号ＨＳＹＮＣの立ち上りエッジから所定の時間Δｔ０が経過し、カウンタ１９が積算カウント値「Ｄｅｆｖ＋０」（＝Ｄｅｆｖ）に応じたカウントを終了したタイミングを起点としてスタート信号ＤＸを生成している。
さらに信号生成回路１７は、スタート信号ＤＸの立ち上りエッジを基準に、複数のタイミング信号ＣＬＸＮ，ＥＮＢＸなどを生成し、液晶パネル１に供給する。
データ線駆動回路２０は、信号生成回路１７から供給されるスタート信号ＤＸ、基準クロックＣＬＸ、反転クロックＣＬＸＮの３つのタイミング信号に基づき出力信号Ｑ１〜Ｑｎを生成する。なお、図３では、信号Ｑ１〜Ｑ３まで表示している。
【００４８】
データ線駆動回路２０の選択回路Ｌ１〜Ｌｎは、生成された隣接する「Ｑｎ-1，Ｑｎ」信号および、信号生成回路１７から供給されるイネーブル信号ＥＮＢＸの３つの信号から論理積によりサンプリング信号Ｓ１〜Ｓｎを生成する。なお、図３では、サンプリング信号Ｓ１〜Ｓ２まで表示している。
サンプリング回路ＳＨ１〜ＳＨｎは、画像処理部５からの６相に並列展開された画像信号ＶＩＤ１〜ＶＩＤ６を、選択回路Ｌ１〜Ｌｎからのサンプリング信号Ｓ１〜Ｓｎに基づいてサンプリングし、対応する各データ線Ｘ１〜Ｘｎに出力する。
画像信号ＶＩＤ１〜ＶＩＤ６は、液晶パネル１の内部回路によって積分されることにより、波形のエッジが鈍化しているため、飽和レベルに達した期間（例えば、画像信号周期Ｔａ，Ｔｂ内のできるだけ遅い期間）において、画素ＴＦＴ回路ＳＴ１〜ＳＴｎに出力される必要がある。
【００４９】
ここで図３のサンプリング信号Ｓ１，２と、画像信号ＶＩＤ１〜ＶＩＤ６との位相関係は、図６（Ａ）のサンプリング信号Ｓｋ，Ｓｋ＋１と、画像信号ＶＩＤ１〜ＶＩＤ６との関係と同様である。
ここから、図６（Ａ）を用いて、サンプリング信号Ｓｋ，Ｓｋ＋１を、サンプリング信号Ｓ１〜Ｓ２と読み替えて説明する。
画像信号ＶＩＤ１〜ＶＩＤ６は、例えば、薄い灰色を示す電圧レベル（３Ｖ）と、黒色を示す電圧レベル（２Ｖ）とを有する波形で表される。
サンプリング信号Ｓ１（Ｓｋ）のハイレベル期間Ｑａは、ウィンドウパターン３０１左辺の画素Ｐ１〜６に対応する画素ＴＦＴ回路に対して、画像信号ＶＩＤ１〜ＶＩＤ６を入力させるタイミングを決定している。
ハイレベル期間Ｑａは、画像信号ＶＩＤ１〜ＶＩＤ６における画像信号周期Ｔａの薄い灰色の飽和レベル（３Ｖ）に達した期間と時間的に合っており、画素Ｐ１〜６のそれぞれの画素電極には、薄い灰色を表す画像信号ＶＩＤ１〜ＶＩＤ６が入力される。
【００５０】
サンプリング信号Ｓ２（Ｓｋ+１）のハイレベル期間Ｑｂは、ウィンドウパターン３０１内部の画素Ｐ７〜１２に対応する画素ＴＦＴ回路に対して、画像信号ＶＩＤ１〜ＶＩＤ６を入力させるタイミングを決定している。
ハイレベル期間Ｑｂは、画像信号ＶＩＤ１〜ＶＩＤ６における画像信号周期Ｔｂの黒色飽和レベル（２Ｖ）に達した期間と時間的に合っており、画素Ｐ１〜６のそれぞれの画素電極には、黒色を表す画像信号ＶＩＤ１〜ＶＩＤ６が入力される。
よって、図６（Ａ）の状態では、ウィンドウパターン２０１の左端にゴーストは発生していない。
ここまで、画素Ｐ１〜１２のラインを事例として説明したが、サンプリング信号の位相状態は、駆動装置３により適切な状態に保たれることから、当該ラインのみならず、継続する走査線についても液晶パネル１上の全てのライン上において同様なタイミングで画像が表示される。よって、画像信号ＶＩＤにより表される画像３００は、薄い灰色の背景色に黒色の略四角形のウィンドウパターン３０１がゴースト画像のない鮮明な画像として表示されることとなる。
【００５１】
《進み状態における動作》
図４は、サンプリング信号が画像信号に対して時間的に進んだことによりゴースト画像が発生しているときの各信号のタイミングを示すタイミングチャートである。
進み状態とは、図６（Ｂ）に示すように、サンプリング回路駆動信号Ｓ１〜Ｓｎのハイレベルな期間が、画像信号ＶＩＤ１〜ＶＩＤ６の飽和レベルに達した期間に対して、時間的に進んでいるためにゴースト画像が発生している状態のことである。
ここでは、図４と、図２を用いて、ゴースト画像が発生している進み状態における画像表示装置１００の駆動装置３の動作について説明する。なお、前記「適切な位相状態における動作」での説明と重複する内容については、省略する。
【００５２】
信号生成回路１７から液晶パネル１に出力されたスタート信号ＤＸは、液晶パネル１のダミー素子５０を経由して、モニタ信号ＭＯＮＩとなって、駆動装置３の位相比較回路１４に出力される。
図４において、液晶パネル１から出力されたモニタ信号ＭＯＮＩの位相は、基準信号ＲＥＦＥに対して、Δｔ１進んでいる。
モニタ信号ＭＯＮＩの位相の進みΔｔ１を補正するためには、スタート信号ＤＸの起点を遅らせてやればよい。
よって、位相比較回路１４は、スタート信号ＤＸの「位相を遅らせる方向に積算カウント値を１だけ変更させる」ための「＋１」値を示すデータ「０１」を加算回路１５に出力する。
加算回路１５は、初期カウント値「Ｄｅｆｖ」にデータ「０１」が示す「＋１」値を加えた積算カウント値「Ｄｅｆｖ＋１」をカウンタ１９に出力する。
【００５３】
これにより、信号生成回路１７は、図４のスタート信号ＤＸのタイミングチャートに示すように、次の水平同期信号ＨＳＹＮＣの立ち上りエッジから所定の時間Δｔ０が経過し、カウンタ１９が積算カウント値「Ｄｅｆｖ＋１」に応じたカウントを終了したタイミングを起点としてスタート信号ＤＸを生成する。
さらに信号生成回路１７は、スタート信号ＤＸの立ち上りエッジを基準に、複数のタイミング信号ＣＬＸＮ，ＥＮＢＸなどを生成し、液晶パネル１に供給する。
データ線駆動回路２０は、信号生成回路１７から供給されるスタート信号ＤＸ、基準クロックＣＬＸ、反転クロックＣＬＸＮの３つのタイミング信号に基づき出力信号Ｑ１〜Ｑｎを生成する。なお、図４では、信号Ｑ１〜Ｑ３まで表示している。
【００５４】
データ線駆動回路２０の選択回路Ｌ１〜Ｌｎは、生成された隣接する「Ｑｎ-1，Ｑｎ」信号および、信号生成回路１７から供給されるイネーブル信号ＥＮＢＸの３つの信号から論理積によりサンプリング信号Ｓ１〜Ｓｎを生成する。なお、図４では、サンプリング信号Ｓ１〜Ｓ２まで表示している。
サンプリング回路ＳＨ１〜ＳＨｎは、画像処理部５からの６相に並列展開された画像信号ＶＩＤ１〜ＶＩＤ６を、選択回路Ｌ１〜Ｌｎからのサンプリング信号Ｓ１〜Ｓｎに基づいてサンプリングし、対応する各データ線Ｘ１〜Ｘｎに出力する。
【００５５】
ここで図４のサンプリング信号Ｓ１，２と、画像信号ＶＩＤ１〜ＶＩＤ６との位相関係は、図６（Ｂ）のサンプリング信号Ｓｋ，Ｓｋ＋１と、画像信号ＶＩＤ１〜ＶＩＤ６との関係と同様である。
ここから、図６（Ｂ）を用いて、サンプリング信号Ｓｋ，Ｓｋ＋１を、サンプリング信号Ｓ１〜Ｓ２と読み替えて説明する。
図６（Ｂ）では、液晶パネル１の温度および経時変化の影響によりサンプリング信号Ｓ１（Ｓｋ）およびＳ２（Ｓｋ＋１）が時間的に進んだため、ハイレベル期間Ｑｂは、その一部が、画像信号ＶＩＤ１〜ＶＩＤ６における画像信号周期Ｔｂの黒色の飽和レベル（２Ｖ）からずれ、薄い灰色に近い電圧レベルと時間的に重なっている。
このため、画素Ｐ７〜１２のそれぞれの画素電極には、黒色の飽和レベル（２Ｖ）に達した画像信号ＶＩＤ１〜ＶＩＤ６の他に、薄い灰色に近い電圧レベルの画像信号ＶＩＤ１〜ＶＩＤ６も、一部入力されることとなり、混合されてウィンドウパターン３０１左辺の内側に、濃い灰色Ａのゴーストが発生している。
【００５６】
なお、この時ウィンドウパターン３０１右辺の外側の連続する６つの画素においても同様の現象が起こっている。それぞれの画素電極には、黒色の飽和レベル（２Ｖ）に達した画像信号ＶＩＤ１〜ＶＩＤ６の他に、薄い灰色に近い電圧レベルの画像信号ＶＩＤ１〜ＶＩＤ６も、一部入力されることとなるため、混合されてウィンドウパターン３０１右辺の外側にも、濃い灰色Ｂのゴーストが発生することとなる。
当該ゴーストは、画素Ｐ６〜１２のラインにおけるサンプリング信号Ｓ１（Ｓｋ），Ｓ２（Ｓｋ＋１）の進み状態が１画面に相当する走査線数続いた場合、図６（Ｂ）に示すように液晶パネル１上の全てのライン上において同様に発生することになるが、駆動回路３による位相補正によれば、全画面にゴーストが発生することはない。この理由を以下に述べる。
【００５７】
図４に戻る。積算カウント値「Ｄｅｆｖ＋１」により位相補正した状態で生成されたスタート信号ＤＸをトリガとしたタイミング信号によってもゴースト画像が発生しているということは、「＋１」カウントでは補正量が不足していることを示している。
前述した通り、積算カウント値「Ｄｅｆｖ＋１」の補正量によるスタート信号ＤＸを含むタイミング信号にて表される画像は、進み状態を示していることから、当該スタート信号ＤＸが、ダミー素子５０を経由して戻って来るモニタ信号ＭＯＮＩの位相は、基準信号ＲＥＦＥに対して進んでいることとなる。
よって、加算回路１５は、初期カウント値「Ｄｅｆｖ＋１」にデータ「０１」が示す「＋１」値を加えた積算カウント値「Ｄｅｆｖ＋２」をカウンタ１９に出力する。
信号生成回路１７は、次の水平同期信号ＨＳＹＮＣの立ち上りエッジから所定の時間Δｔ０が経過し、カウンタ１９が積算カウント値「Ｄｅｆｖ＋２」に応じたカウントを終了したタイミングを起点としてスタート信号ＤＸを生成する。
【００５８】
このようにして、駆動装置３は、モニタ信号ＭＯＮＩの位相比較結果により位相がズレている場合、適正な位相状態に近づけるために、１走査線あたり１カウントづつのカウント時間に相当する位相補正を行うことにより、最終的にタイミング信号を図３に示される適切状態の位相に合わせる。
例えば、画像信号ＶＩＤが解像度ＶＧＡ（640×480ドット）の画像信号であった場合、１画面当たり垂直方向の解像度４８０本ライン分の、水平同期信号が出力される。制御回路３は、１走査線ごとに１回の位相補正を行う。
よって、例えば、サンプリング信号の位相のズレ量が８０カウントに相当する時間分あったとしても、１画面が描写されるのを待たずに８０／４８０走査線分の位相補正の段階で、位相は適切な状態となる。
【００５９】
《遅れ状態における動作》
図５は、サンプリング信号が画像信号に対して時間的に遅れたことによりゴースト画像が発生しているときの各信号のタイミングを示すタイミングチャートである。
進み状態とは、図６（Ｃ）に示すように、サンプリング回路駆動信号Ｓ１〜Ｓｎのハイレベルな期間が、画像信号ＶＩＤ１〜ＶＩＤ６の飽和レベルに達した期間に対して、時間的に遅れているためにゴースト画像が発生している状態のことである。
ここでは、図５と、図２を用いて、ゴースト画像が発生している進み状態における画像表示装置１００の駆動装置３の動作について説明する。なお、前記「適切な位相状態における動作」および「進み状態における動作」での説明と重複する内容については、省略する。
【００６０】
信号生成回路１７から液晶パネル１に出力されたスタート信号ＤＸは、液晶パネル１のダミー素子５０を経由して、モニタ信号ＭＯＮＩとなって、駆動装置３の位相比較回路１４に出力される。
図５において、液晶パネル１から出力されたモニタ信号ＭＯＮＩの位相は、基準信号ＲＥＦＥに対して、Δｔ２遅れている。
モニタ信号ＭＯＮＩの位相の遅れΔｔ２を補正するためには、スタート信号ＤＸの起点を早めてやればよい。
よって、位相比較回路１４は、スタート信号ＤＸの「位相を進ませる方向に積算カウント値を１だけ変更させる」ための「−１」値を示すデータ「１１」を加算回路１５に出力する。
加算回路１５は、初期カウント値「Ｄｅｆｖ」にデータ「１１」が示す「−１」値を加えた積算カウント値「Ｄｅｆｖ−１」をカウンタ１９に出力する。
【００６１】
これにより、信号生成回路１７は、図５のスタート信号ＤＸのタイミングチャートに示すように、次の水平同期信号ＨＳＹＮＣの立ち上りエッジから所定の時間Δｔ０が経過し、カウンタ１９が積算カウント値「Ｄｅｆｖ−１」に応じたカウントを終了したタイミングを起点としてスタート信号ＤＸを生成する。
さらに信号生成回路１７は、スタート信号ＤＸの立ち上りエッジを基準に、複数のタイミング信号ＣＬＸＮ，ＥＮＢＸなどを生成し、液晶パネル１に供給する。
データ線駆動回路２０は、信号生成回路１７から供給されるスタート信号ＤＸ、基準クロックＣＬＸ、反転クロックＣＬＸＮの３つのタイミング信号に基づき出力信号Ｑ１〜Ｑｎを生成する。なお、図５では、信号Ｑ１〜Ｑ３まで表示している。
【００６２】
データ線駆動回路２０の選択回路Ｌ１〜Ｌｎは、生成された隣接する「Ｑｎ-1，Ｑｎ」信号および、信号生成回路１７から供給されるイネーブル信号ＥＮＢＸの３つの信号から論理積によりサンプリング信号Ｓ１〜Ｓｎを生成する。なお、図５では、サンプリング信号Ｓ１〜Ｓ２まで表示している。
サンプリング回路ＳＨ１〜ＳＨｎは、画像処理部５からの６相に並列展開された画像信号ＶＩＤ１〜ＶＩＤ６を、選択回路Ｌ１〜Ｌｎからのサンプリング信号Ｓ１〜Ｓｎに基づいてサンプリングし、対応する各データ線Ｘ１〜Ｘｎに出力する。
【００６３】
ここで図５のサンプリング信号Ｓ１，２と、画像信号ＶＩＤ１〜ＶＩＤ６との位相関係は、図６（Ｃ）のサンプリング信号Ｓｋ，Ｓｋ＋１と、画像信号ＶＩＤ１〜ＶＩＤ６との関係と同様である。
ここから、図６（Ｃ）を用いて、サンプリング信号Ｓｋ，Ｓｋ＋１を、サンプリング信号Ｓ１〜Ｓ２と読み替えて説明する。
図６（Ｃ）では、液晶パネル１の温度および経時変化の影響によりサンプリング信号Ｓ１（Ｓｋ）およびＳ２（Ｓｋ＋１）が時間的に遅れたため、ハイレベル期間Ｑａは、その一部が、画像信号ＶＩＤ１〜ＶＩＤ６における画像信号周期Ｔａの薄い灰色の飽和レベル（３Ｖ）からずれ、黒色に近い電圧レベルと時間的に重なっている。
このため、画素Ｐ１〜６のそれぞれの画素電極には、薄い灰色の飽和レベル（３Ｖ）に達した画像信号ＶＩＤ１〜ＶＩＤ６の他に、黒色に近い電圧レベルの画像信号ＶＩＤ１〜ＶＩＤ６も一部入力されることとなり、混合されてウィンドウパターン３０１左辺の外側に、濃い灰色Ｃのゴーストが発生している。
【００６４】
なお、この時ウィンドウパターン３０１右辺の内側の連続する６つの画素においても同様の現象が起こっている。それぞれの画素電極には、薄い灰色の飽和レベル（３Ｖ）に達した画像信号ＶＩＤ１〜ＶＩＤ６の他に、黒色に近い電圧レベルの画像信号ＶＩＤ１〜ＶＩＤ６も一部入力されることとなり、混合されてウィンドウパターン３０１左辺の内側に、濃い灰色Ｄのゴーストが発生している。
当該ゴーストは、画素Ｐ６〜１２のラインにおけるサンプリング信号Ｓ１（Ｓｋ），Ｓ２（Ｓｋ＋１）の進み状態が１画面に相当する走査線数続いた場合、図６（Ｃ）に示すように液晶パネル１上の全てのライン上において同様に発生することになるが、駆動回路３による位相補正によれば、全画面にゴーストが発生することはない。この理由を以下に述べる。
【００６５】
図５に戻る。積算カウント値「Ｄｅｆｖ−１」により位相補正した状態で生成されたスタート信号ＤＸをトリガとしたタイミング信号によってもゴースト画像が発生しているということは、「−１」カウントでは補正量が不足していることを示している。
前述した通り、積算カウント値「Ｄｅｆｖ−１」の補正量によるスタート信号ＤＸを含むタイミング信号にて表される画像は、遅れ状態を示していることから、当該スタート信号ＤＸが、ダミー素子５０を経由して戻って来るモニタ信号ＭＯＮＩの位相は、基準信号ＲＥＦＥに対して遅れている。
よって、加算回路１５は、積算カウント値に「−１」値を示すデータ「１１」を加えた積算カウント値「Ｄｅｆｖ−２」をカウンタ１９に出力する。
信号生成回路１７は、次の水平同期信号ＨＳＹＮＣの立ち上りエッジから所定の時間Δｔ０が経過し、カウンタ１９が積算カウント値「Ｄｅｆｖ−２」に応じたカウントを終了したタイミングを起点としてスタート信号ＤＸを生成する。
【００６６】
このようにして、駆動装置３は、モニタ信号ＭＯＮＩの位相比較結果により位相がズレている場合、適正な位相状態に近づけるために、１走査線あたり１カウントづつのカウント時間に相当する位相補正を行うことにより、最終的にタイミング信号を図３に示される適切状態の位相に合わせる。
例えば、画像信号ＶＩＤが４８０ｐの画像信号であった場合、１画面当たりの走査線４８０本ライン分の、水平同期信号が出力される。制御回路３は、１走査線ごとに１回の位相補正を行う。
よって、例えば、サンプリング信号の位相のズレ量が５０カウントに相当する時間分あったとしても、１画面が描写されるのを待たずに５０／４８０走査線分の位相補正の段階で、位相は適切な状態となる。
【００６７】
上述した通り、本実施形態によれば以下の効果が得られる。
（１）ダミー素子５０は、サンプリング回路ＳＨ１〜ＳＨｎなどの液晶パネル１の各構成部位と同一のガラス基板上に設けられていることから、サンプリング回路ＳＨ１〜ＳＨｎなどと同様の寄生容量や配線抵抗などを含み、ほぼ同等のタイミング信号の伝達特性を持っている。
よって、ダミー素子５０を経由して出力されたモニタ信号ＭＯＮＩは、温度変化や経時変化の影響による液晶パネル１内部回路の伝達特性の変化を反映している。
信号生成回路１７は、水平同期信号ＨＳＹＮＣをトリガとして、カウンタ１９が積算カウント値に応じたカウントを終了したタイミングを起点として、スタート信号ＤＸを含む複数のタイミング信号を生成して、液晶パネル１に供給することから、駆動装置３は、初期カウント値「Ｄｅｆｖ」に、モニタ信号ＭＯＮＩと基準信号ＲＥＦＥとの位相を比較した位相比較情報が加味された積算カウント値に応じた時間が経過したタイミングで、複数のタイミング信号を生成するためのトリガとなるスタート信号を生成する。
【００６８】
積算カウント値は、画像の描写タイミングを計るための水平同期信号ＨＳＹＮＣをトリガとして固定された位相を持つ基準信号と、基準信号ＲＥＦＥと、モニタ信号ＭＯＮＩとの位相比較情報が加味されたものであることから、積算カウント値に応じた時間が経過したタイミングで生成されるスタート信号ＤＸは、適正な位相状態に近づくように補正されたものとなっている。
さらに、位相が補正されたスタート信号ＤＸは、再度、ダミー素子５０を経由してモニタ信号ＭＯＮＩとして出力され、位相比較回路１４で基準信号ＲＥＦＥとの位相を比較される。このようにして、スタート信号ＤＸの補正状態のフィードバックが繰り返されることにより、スタート信号ＤＸは、適正な位相に補正される。よって、ゴーストのない適正な画像を得ることができる。
また、駆動装置３を構成する信号生成回路１７、基準信号生成回路１３、位相比較回路１４、加算回路１５などの構成部位は、分周器や、位相ディテクタ、シフトレジスタ、カウンタなど、高集積化が容易なデジタル回路により構成できる。
よって、駆動装置３の構成を、１チップの集積回路に収めることができる。
従って、駆動装置３は、温度変化や経時変化の影響により液晶パネル１内部回路の特性変化があっても、簡便な構成によりゴーストのない鮮明な画像を得ることができる。
【００６９】
（２）位相比較回路１４は、基準信号ＲＥＦＥに対するモニタ信号ＭＯＮＩの位相が一致している場合、位相比較情報として「積算カウント値を変更させない」ための「±０」値を示す「００」データを出力し、モニタ信号ＭＯＮＩの位相が進んでいる場合、「位相を遅らせる方向に積算カウント値を１だけ変更させる」ための「＋１」値を示すデータ「０１」を出力し、モニタ信号ＭＯＮＩの位相が遅れている場合、「位相を進ませる方向に積算カウント値を１だけ変更させる」ための「−１」値を示すデータ「１１」を出力する。さらに加算回路１５は、初期カウント値「Ｄｅｆｖ」に、位相比較情報としてのデータが示すカウント値を加えた値を積算カウント値として、カウンタ１９に供給することから、駆動装置３は、モニタ信号ＭＯＮＩの位相比較結果によりスタート信号ＤＸが適正な位相状態である場合には、前回の積算カウント値による位相補正を継続し、位相がズレている場合には、適正な位相状態に近づけるために、１回のフィードバックで１カウントづつのカウント時間に相当する位相補正を行う。
また、位相比較回路１４は、位相比較情報として「−１」，「０」，「＋１」の３つのデータ態様のみを出力することから、２ビットのデータ出力機能を持つ簡単な構成で良い。さらに、加算回路１５は、初期カウント値に、２ビットのデータを加算することが可能な単純な積算レジスタで構成することができる。
従って、簡便な構成の液晶パネルの駆動装置を提供することができる。
【００７０】
（３）基準信号生成回路１３は、逓倍回路１２からの４逓倍クロックに同期させて基準信号ＲＥＦＥを生成することから、駆動装置３は、基準信号ＲＥＦＥの位相を精密に設定することができる。
また、カウンタ１９は、４逓倍クロックによりカウントを行うことから、駆動装置３は、基準クロックＣＬＫの周期では長すぎて調整することができない短時間の位相補正を、４逓倍クロックにより精密に行うことができる。
よって、スタート信号ＤＸを含む複数のタイミング信号を、より適切な位相状態に調整することができる。
従って、駆動装置３は、温度変化や経時変化の影響により液晶パネル１内部回路の特性変化があっても、ゴーストのない鮮明な画像を得ることができる。
【００７１】
（４）カウンタ１９の初期カウント値「Ｄｅｆｖ」は、カウンタの総カウント数の略２０〜８０％の範囲内のカウント値に設定されていることから、初期カウント値「Ｄｅｆｖ」のプラス側にもマイナス側にも一定のカウント値の余裕があるので、モニタ信号ＭＯＮＩの位相比較結果によりスタート信号ＤＸの位相がズレていたときに、位相の進みおよび遅れの双方向に対して一定の幅を持って調整を行うことができる。
従って、駆動装置３は、スタート信号ＤＸを含む複数のタイミング信号の位相を、進みおよび遅れの双方向に対して適切な状態となるまで補正することができる。
【００７２】
（５）信号生成回路１７は、カウンタ１９が積算カウント値に応じたカウントを始める前に、基準信号ＲＥＦＥの起点と同一の水平同期信号ＨＳＹＮＣの立ち上りエッジを起点として、所定の時間Δｔ０を設け、所定の時間Δｔ０が経過した後に、カウンタ１９により積算カウント値に応じたカウント行わせ、カウントが終了したタイミングを起点として、スタート信号ＤＸを生成することから、スタート信号ＤＸが生成されるタイミングまでの時間を、全てカウンタのカウント時間により賄う必要はない。
よって、カウンタ１９の総カウント数を小さくでき、カウンタ１９は小型で良い。
従って、簡便な構成の駆動装置３を提供することができる。
【００７３】
（６）所定の時間Δｔ０は、水平同期信号ＨＳＹＮＣをトリガとして、所定の時間Δｔ０が経過した後に、初期カウント値「Ｄｅｆｖ」に基づいたタイミングを起点として生成されたスタート信号ＤＸが、標準的な伝達特性を持つ液晶パネル１に入力したときに、液晶パネル１から出力されるモニタ信号ＭＯＮＩの位相が、基準信号ＲＥＦＥの位相と略一致するような時間に設定されている。
従って、駆動装置３は、小さなカウンタ１９による簡便な構成であっても、タイミング信号の位相を適切な状態に調整することができる。
【００７４】
（７）駆動装置３は、モニタ信号ＭＯＮＩの位相比較結果により位相がズレている場合、適正な位相状態に近づけるために、１走査線あたり１カウントづつのカウント時間に相当する位相補正を行いサンプリング信号Ｓ１〜Ｓｎの位相を適切な状態の位相に合わせる。さらに、サンプリング信号の位相が適切な状態になると、その状態を保つことから、駆動装置３は、１画面を表示する途上の段階で、サンプリング信号Ｓ１〜Ｓｎの位相を適切な状態とし、その状態を維持することができる。
従って、駆動装置３は、タイミング信号の位相補正を素早く行うことができる。
【００７５】
（８）画像表示装置１００は、駆動装置３と、液晶パネル１とを備えることから、温度変化や経時変化の影響により液晶パネル１内部回路の特性変化があっても、ゴーストのない鮮明な画像を得ることができる。
【００７６】
なお、本発明は上述した実施形態に限定されず、上述した実施形態に種々の変更や改良などを加えることが可能である。変形例を以下に述べる。
【００７７】
（変形例１）
図１と図２を用いて説明する。前記実施形態において、駆動装置３は、逓倍回路１２を備えるものとして説明したが、これに限定するものではない。例えば、逓倍回路１２は、クロック供給部９に含まれていても良い。
この構成の場合、クロック供給部９は、基準クロックＣＬＫから内蔵する逓倍回路により、４逓倍クロックを生成し、駆動装置３に、基準クロックＣＬＫとともに供給する。
これにより、駆動回路３には、４逓倍クロックが供給されることから、前記実施形態と同様の効果を得ることができる。
【００７８】
（変形例２）
図１を用いて説明する。前記実施形態における画像表示装置１００の具体的な製品形態としては、パーソナルコンピュータ、液晶テレビ、携帯電話、ＰＤＡ（Personal Digital Assistance）、液晶プロジェクタなどが挙げられる。
特に、本発明は、光源としてのランプが放射する白色光を、赤色光、青色光、緑色光の光の３原色成分に分離し、各色光毎に光変調素子である各色光用の液晶ライトバルブにより、画像信号に応じて変調し、再度合成してフルカラーの画像を投写する、いわゆる「液晶３板式プロジェクタ」に好適である。
画像表示装置１００が、液晶３板式プロジェクタである場合、赤色光、青色光、緑色光用の液晶ライトバルブごとに駆動装置３を設けることにより、温度変化や経時変化の影響により各色光液晶ライトバルブ内部回路の特性変化があっても、ゴーストのない鮮明な投写画像を得ることができる。
【図面の簡単な説明】
【００７９】
【図１】一実施形態の画像表示装置の概略構成図。
【図２】駆動装置および液晶パネルの概略構成図。
【図３】適切な位相状態における各信号のタイミングチャート。
【図４】進み状態における各信号のタイミングチャート。
【図５】遅れ状態における各信号のタイミングチャート。
【図６】（Ａ）適切な位相状態での表示画像および信号状態を示す図。（Ｂ）進み状態での表示画像および信号状態を示す図。（Ｃ）遅れ状態での表示画像および信号状態を示す図。
【図７】従来の駆動装置および液晶パネルの概略構成図。
【符号の説明】
【００８０】
１…液晶パネル、３…液晶パネルの駆動装置、５…画像処理部、９…クロック供給部、１２…逓倍回路、１３…基準信号生成回路、１４…位相比較回路、１５…加算回路、１７…信号生成回路、１９…カウンタ、２０…データ線駆動回路、４０…画素電極、５０…ダミー素子、１００…画像表示装置、ＳＨ１〜ｎ…サンプリング回路、Ｘ１〜Ｘｎ…複数のデータ線、ＶＩＤ１〜６…画像信号、ＤＸ…スタート信号、ＭＯＮＩ…モニタ信号、ＨＳＹＮＣ…水平同期信号、ＣＬＫ…基準クロック、Ｄｅｆｖ…初期カウント値、Δｔ０…所定の時間。
【図１】
2006251122.tif 000003
【図２】
2006251122.tif 000004
【図３】
2006251122.tif 000005
【図４】
2006251122.tif 000006
【図５】
2006251122.tif 000007
【図６】
2006251122.tif 000008
【図７】
2006251122.tif 000009